(57)【要約】【課題】これまでは切歯間距離を開口度としてノギスや従来の開口度測定器を用いて測定していた。しかしこれでは上下前歯がそろっていないものの開口度は測定できない。【解決手段】切歯間距離と相関のある部位を口腔外でみつけ、全ての人に応用でき、容易に開口量を測定出来る機器を提供する。【選択図】  図３
2004329431.tif 000002
【特許請求の範囲】
【請求項１】
鼻尖に接する辺縁と、下顎底面に接する辺縁を有する構造物からなり、その辺縁を顔面に対して、正中矢状方向に軽く押し当て、閉口時の鼻尖の接触点を計測して閉口時の鼻尖に対する下顎の位置を求めることができ、さらに開口時の鼻尖の接触点を計測して開口時の鼻尖に対する下顎の位置を求めることができ、その値の差から、開閉口時の鼻尖に対する下顎の位置の変位量を測定する下顎位測定器。
【請求項２】
請求項１記載の下顎位測定器において、鼻尖に接する辺縁と下顎底面に接する辺縁とのなす角度が４５度から９０度であることを特徴とする下顎位測定器。
【請求項３】
請求項１記載の下顎位測定器において、鼻尖に接する辺縁と下顎底面に接する辺縁とのなす角度が６０度から７５度であることを特徴とする下顎位測定器。
【請求項４】
請求項１記載の下顎位測定器において、鼻尖に接する辺縁と下顎底面に接する辺縁とのなす角度が６７．５度から７５度であることを特徴とする下顎位測定器。
【請求項５】
請求項１記載の下顎位測定器において、鼻尖に接する辺縁を含む構造物と下顎底面に接する構造物とをねじで連結し、ねじを回転中心にして鼻尖に接する辺縁と下顎底面に接する辺縁のなす角度を自由に動かせることを特徴とした下顎位測定器。
【請求項６】
請求項５記載の下顎位測定器において、その連結部に鼻尖に接する辺縁と下顎底面に接する辺縁のなす角度が簡単に測定できる目盛りを備えた下顎位測定器。
【請求項７】
請求項１記載の下顎位測定器において、下顎底面に接する辺縁と鼻尖に接する辺縁との交点を０として、鼻尖に接する構造物の片面または両面に目盛りが記載されることで、容易に閉口時の鼻尖に対する下顎の位置と開口時の鼻尖に対する下顎の位置を測定でき、開閉口時の鼻尖に対する下顎の変位量測定を容易にできる下顎位測定器。
【請求項８】
請求項１記載の下顎位測定器において、鼻尖に接する辺縁に平行に上下にスライド可能な目盛り部を付与することによって、開閉口時の鼻尖に対する下顎の変位量の測定を容易にできる下顎位測定器。
【発明の詳細な説明】
【０００１】
【発明の属する技術分野】
本発明は、閉口時の鼻尖に対する下顎の位置測定と、開口時の鼻尖に対する下顎の位置測定と、開閉口時の鼻尖に対する下顎の変位量の測定に関するものである。
【０００２】
【従来の技術】
これまでは、切歯間距離を開口度としてノギスや図１ａのような従来の開口度測定器を用いて測定していた。ノギスの場合はノギスの先端を上下顎中切歯切縁間に眼窩平面に直角に挿入し、目盛りを読んで開口度としていた。従来の開口度測定器の場合は上下顎中切歯切縁間に挿入し、両切縁が測定器の両辺上の同じ目盛りの位置にくるように調整し、目盛りを読んで開口度としていた（図１ｂ）。
（参考文献…清水正嗣；開口域の計測について、新歯潮、４（４）１２−１３、１９７０、清水正嗣；新しい開口域測定器、新歯潮、４（５）８−９、１９７０、塚原宏泰；日本人成人額関節健常者における最大開口量についての統計学的検討、日口外誌、４４（２）１５９−１６７、１９９８、本多洋之；最大開口域とその計測法に関する研究、歯学、７２（３）５４１−５７２、１９８４、村上有二；新たに考案した開口位測定器、北海道歯誌、１７、４１−４５、１９９６）
【０００３】
【発明が解決しようとする課題】
従来の測定方法では全患者に応用することができない。測定する部位が切歯間距離のため有歯顎患者の開口度は測定できるが、無歯顎患者や、前歯が上下で揃っていない人の開口度は測定できない。また、測定法が面倒であった。
【０００４】
本発明が解決しようとする課題は、従来の測定法に比べて簡便に測定でき、全ての患者に応用でき、また、開閉口時の下顎の変位量の測定と同時に閉口時、開口時の下顎位の測定もできる機器を提供することにある。
【０００５】
【課題を解決するための手段】
本発明の発見者は、前記課題を解決するには切歯間距離と相関のある他の測定部位を見つけるのがいいのではないかと考えた。そして実験を行った結果、本発明の完成に至った。
【０００６】
請求項１に係る下顎位測定器は、鼻尖に接する辺縁と、下顎底面に接する辺縁を有する構造物からなり、その辺縁を顔面に対して、正中矢状方向に軽く押し当て、閉口時の鼻尖の接触点を計測することで閉口時の鼻尖に対する下顎の位置を求めることができる。また、開口時の鼻尖の接触点を計測することで開口時の鼻尖に対する下顎の位置を求めることができる。開口時の下顎位から閉口時の下顎位を引き算することにより、開閉口時の鼻尖に対する下顎の変位量を測定することができる。測定距離を切歯間距離ではなく、鼻尖に対する下顎の変位量としている。この距離は統計的に切歯間距離と高い正の相関があることが、本発明の発見者によって確かめられている。測定部位を変えたことで、前歯の無い者の開口量の測定が可能となった。また、測定部位が口腔外であるため使用方法が簡単で、専門家でなくても簡便に測定することができるようになった。
【０００７】
また、素材を選ぶ際に、アクリル板等のプラスチックや金属を選ぶと、薬液消毒が可能となり、衛生的である。一方、厚紙や発泡スチロールなどを選ぶと、家庭で簡単に切り抜いて、家庭や介護施設などで専門家以外でも測定できる簡便なディスポーザブルタイプの下顎位測定器を容易に作ることができる。
【０００８】
請求項２に係る下顎位測定器は、鼻尖に接する辺縁と下顎底面に接する辺縁とのなす角度が４５度から９０度であることを特徴とするものである。これは、４５度以下になると、角度が小さすぎて測定したい部位に押し当てることができず、９０度以上になると、逆に角度が大きすぎて、下顎底部に当てても鼻尖に接触させることができなくなるからである。
【０００９】
請求項３に係る下顎位測定器は、鼻尖に接する辺縁と下顎底面に接する辺縁とのなす角度が６０度から７５度であることを特徴とするものである。これは、６０度から７５度という角度が、多くの者に適応できる角度であったからである。また、この角度は多くの家庭にもあると思われる三角定規などを使用して、本装置を作りやすい角度であるからからである。
【００１０】
請求項４に係る下顎位測定器は、鼻尖に接する辺縁と下顎底面に接する辺縁とのなす角度が６７．５度から７５度であることを特徴とするものである。これは、６７．５度から７５度が、最も多くの者を測定できる角度であるからである。
【００１１】
請求項５に係る下顎位測定器は、鼻尖に接する辺縁を含む構造物と下顎底面に接する構造物とがねじで連結してあり、ねじを中心にして鼻尖に接する辺縁と下顎底面に接する辺縁のなす角度を自由に動かすことができる。これにより測定されるものに最適な角度に調整することができるので、一つの機器で下顎前突や上顎前突などの不正咬合の者や子供から大人まで様々な人の測定をすることができるようになる。
【００１２】
請求項６に係る下顎位測定器は、請求項５に係る下顎位測定器において、測定条件再現のため測定時の角度を記載しておくことが必要であるため、ねじ部に鼻尖に接する辺縁と下顎底面に接する辺縁とのなす角度を測定できる目盛りを付与したものである。
【００１３】
請求項７に係る下顎位測定器は、下顎底面に接する辺縁と鼻尖に接する辺縁との交点を０として、鼻尖に接する構造物の片面または両面に目盛りが記載されたものである。目盛りがあることで、閉口時の鼻尖の接触位置の値と開口時の鼻尖の接触位置の値が測定しやすくなる。
【００１４】
請求項８に係る下顎位測定器は、請求項１記載の下顎位測定器において、鼻尖に接する構造物に、鼻尖に接する辺縁と平行に上下にスライド可能な目盛り部を付与したものである。閉口時における鼻尖の接点に目盛りの０点をあわせてスライドさせておく。これにより開口時の鼻尖の接点の目盛りを読むだけで、引き算することなく開閉口時の鼻尖に対する下顎の変位量を求めることができる。
【００１５】
【発明実施の形態】
本発明の実施の形態を説明する。図２に示すように、本装置は鼻尖に接する辺縁を有する構造物１と、下顎底面に接する辺縁を有する構造物２から構成され、鼻尖に接する辺縁３、下顎底面に接する辺縁４を有する。素材はアクリル板等のプラスチック、スチールやアルミ等の金属、厚紙、木材、発泡スチロール等で作成すればよい。
【００１６】
図３に示すように、本装置を顔面に対して正中矢状方向に軽く押し当てて、閉口時の鼻尖の接触点６と自力でできる最大量、口を開けたときの鼻尖の接触点７を測定・記録し、その値の差から、開閉口時の鼻尖に対する下顎の位置の変位量を測定することができる。２つの辺縁のなす角度５（図２．）は４５度から９０度、好ましくは６０度から７５度、さらに好ましくは６７．５度から７５度で作成されると、各辺縁が無理なく鼻尖、下顎底面に接することができる。
【００１７】
別の実施の形態を図４に基づいて説明する。鼻尖に接する辺縁を有する構造物８と下顎底面に接する辺縁を有する構造物９はねじ１０を介して接続され、ねじ１０を回転中心にして鼻尖に接する辺縁と下顎底面に接する辺縁のなす角度１１を自由に動かすことができるようになっている。これにより、鼻の高さや唇の突出具合など個々で異なる条件に対して、その人に最適な角度に設定して測定することができる。同一の人の閉口時と開口時の測定において角度を変えてはいけない。測定条件を統一するため、測定時の角度を記載しておくことが必要である。そこで、ねじ部に角度測定のできる目盛り１２を付与することで、鼻尖に接する辺縁と下顎底面に接する辺縁のなす角度を容易に計測できるようにする。人によって測定時の角度が異なっても、その人の切歯間距離の値と、下顎位測定器によって求められる開閉口時の鼻尖に対する下顎の変位量との相関関係は保たれることは、本発明者らによって確認されている。
【００１８】
別の実施形態を図５に基づいて説明する。鼻尖に接する辺縁１３と下顎底面に接する辺縁１４との交点１５を目盛りの０点として、鼻尖に接する辺縁上、鼻尖に接する構造物の片面または両面に目盛り１６を付与することで、閉口時、開口時の鼻尖の接触点の測定を容易にすることができる。
【００１９】
別の実施の形態を図６に基づいて説明する。鼻尖に接する辺縁１７に平行に上下にスライドする目盛り１８を付与する。この目盛りの０点を閉口時の鼻尖の位置に設定して、それから開口した時の鼻尖の位置を測定することで、開口時の鼻尖の接触位置から閉口時の鼻尖の接触位置の値を引き算することなく、容易に下顎の変位量を測定することができる。
【００２０】
【発明の効果】
上下の切歯間距離を測定するのではなく、鼻尖に対する下顎変位量を測定するため、前歯のない患者であっても、開口量（下顎の変位量）が測定できるようになる。測定部位が口腔外であるため、測定法が簡便で専門家でなくても容易に測定が可能である。開口量測定と同時に、閉口時と開口時の鼻尖に対する下顎位を記録できるが、この値を経時的に記録しておけば、例えば無歯顎になり咬合高径の決定が困難な場合の治療の目安にすることもできる。
【図面の簡単な説明】
【図１】従来の開口度測定器の平面図である。
【図２】発明の実施の形態を示す平面図である。
【図３】発明の実施の形態を示す平面図である。
【図４】発明の実施の形態を示す平面図である。
【図５】発明の実施の形態を示す平面図である。
【図６】発明の実施の形態を示す平面図である。
【符号の説明】
１．  鼻尖に接する辺縁を有する構造物
２．  下顎底面に接する辺縁を有する構造物
３．  鼻尖に接する辺縁
４．  下顎底面に接する辺縁
５．  鼻尖に接する辺縁と下顎底面に接する辺縁のなす角度
６．  閉口時の鼻尖の接触点
７．  開口時の鼻尖の接触点
８．  鼻尖に接する辺縁を含む構造物
９．  下顎底面に接する辺縁を含む構造物
１０．  ねじ連結部
１１．  鼻尖に接する辺縁と下顎底面に接する辺縁のなす角度
１２．  角度目盛り部
１３．  鼻尖に接する辺縁
１４．  下顎底面に接する辺縁
１５．  鼻尖に接する辺縁と下顎底面に接する辺縁の交点
１６．  目盛り部
１７．  鼻尖に接する辺縁
１８．  スライド式の目盛り部
【図１】
2004329431.tif 000003
【図２】
2004329431.tif 000004
【図３】
2004329431.tif 000005
【図４】
2004329431.tif 000006
【図５】
2004329431.tif 000007
【図６】
2004329431.tif 000008